(57)【要約】【課題】光ディスクへのデータ記録用の記録パラメータに対する調整精度を向上し、より良好な記録品質を得ることができる光ディスク装置および記録制御方法を提供する。【解決手段】記録パラメータを調整するための試し記録を、不要となったり試し用と決めた光ディスク上のデータ領域に対して行うことにより、従来のＰＣＡを用いた場合に比べて遥かに多くの領域への試し記録が可能となり、記録パラメータの探索範囲および探索回数の制約もなく訂正個数の最も少ない記録パラメータを探索することができ、記録データの記録ミスや、それによる再生エラーをなくす。【選択図】図１
2005196902.tif 000002
【特許請求の範囲】
【請求項１】
データの記録および再生が可能な光ディスクに対する前記データ記録用の記録パラメータを調整する光ディスク装置であって、任意の記録パワーを設定するパワー設定手段と、任意の記録パルス幅を設定するパルス幅設定手段と、ホストコンピュータからの指示で記録データの記録位置を設定する記録位置設定手段と、記録データを読み出した場合の訂正個数を計測する訂正個数計測手段と、記録パワーと記録パルス幅である記録パラメータを調整するパラメータ調整手段とを備えたことを特徴とする光ディスク装置。
【請求項２】
データの記録および再生が可能な光ディスクに対する前記データ記録用の記録パラメータを調整する光ディスク装置であって、任意の記録パワーを設定するパワー設定手段と、任意の記録パルス幅を設定するパルス幅設定手段と、ホストコンピュータからの指示で記録データの記録位置を設定する記録位置設定手段と、記録データを読み出した場合のリードクロックと記録データの時間誤差を計測するジッタ計測手段と、記録パワーと記録パルス幅である記録パラメータを調整するパラメータ調整手段とを備えたことを特徴とする光ディスク装置。
【請求項３】
データの記録および再生が可能な光ディスクに対する前記データ記録用の記録パラメータを調整する光ディスク装置であって、任意の記録パワーを設定するパワー設定手段と、任意の記録パルス幅を設定するパルス幅設定手段と、ホストコンピュータからの指示で記録データの記録位置を設定する記録位置設定手段と、記録データを読み出した場合の変調度やアシンメトリを計測する変調度計測手段と、記録パワーと記録パルス幅である記録パラメータを調整するパラメータ調整手段とを備えたことを特徴とする光ディスク装置。
【請求項４】
前記記録位置設定手段は、記録位置を自動で設定するよう構成したことを特徴とする請求項１または請求項２または請求項３記載の光ディスク装置。
【請求項５】
請求項１から請求項４のいずれかに記載の光ディスク装置であって、調整した前記記録パラメータを記憶するパラメータ記憶手段を設けたことを特徴とする光ディスク装置。
【請求項６】
請求項５記載の光ディスク装置であって、前記記録パラメータ情報専用の記憶手段と、装置内部のファームウェアを変更することなく前記記録パラメータを変更するパラメータ変更手段とを設けたことを特徴とする光ディスク装置。
【請求項７】
請求項５または請求項６記載の光ディスク装置であって、前記記録パラメータとともに、前記記録パラメータを識別するための記録パラメータ識別情報を記憶するパラメータ識別情報記憶手段を設けたことを特徴とする光ディスク装置。
【請求項８】
請求項７記載の光ディスク装置であって、ホストコンピュータが、相互通信が可能なように接続され、前記ホストコンピュータからのコマンドに応じて、前記記録パラメータおよび前記記録パラメータ識別情報を、前記ホストコンピュータに送信するパラメータ送信手段を設けたことを特徴とする光ディスク装置。
【請求項９】
請求項７または請求項８記載の光ディスク装置であって、搭載された光ディスクのディスク情報を読み出し、前記記録パラメータの調整処理実行の可否を判断する手段と、その判断結果をもとに、前記記録パラメータ調整処理を実行する手段とを設けたことを特徴とする光ディスク装置。
【請求項１０】
請求項９記載の光ディスク装置であって、前記ホストコンピュータを通じてネットワークや他の媒体から記録パラメータを取得する手段と、装置内の記録パラメータの識別情報を取得する手段と、前記ネットワークや他の媒体からの記録パラメータの情報と前記装置内の記録パラメータ識別情報とを比較する手段と、前記比較の結果に応じて、記録パラメータを更新する手段とを設けたことを特徴とする光ディスク装置。
【請求項１１】
請求項１から請求項７のいずれかに記載の光ディスク装置であって、内部で記憶している記録パラメータの識別情報と新たに調整した記録パラメータの識別情報とを比較する手段と、前記比較結果に応じて、前記記録パラメータを更新する手段とを設けたことを特徴とする光ディスク装置。
【請求項１２】
データの記録および再生が可能な光ディスクに対する前記データ記録用の記録パラメータを調整する光ディスク装置の記録制御方法であって、記録パラメータとして任意の記録パワーおよび任意の記録パルス幅を設定し、ホストコンピュータからの指示で記録データの記録位置を設定し、前記設定による記録データを読み出した場合の訂正個数を計測し、これらの処理を繰返して、前記訂正個数が最小となる記録パラメータに調整することを特徴とする光ディスク装置の記録制御方法。
【請求項１３】
データの記録および再生が可能な光ディスクに対する前記データ記録用の記録パラメータを調整する光ディスク装置の記録制御方法であって、記録パラメータとして任意の記録パワーおよび任意の記録パルス幅を設定し、ホストコンピュータからの指示で記録データの記録位置を設定し、前記設定による記録データを読み出した場合のリードクロックと記録データの時間誤差をジッタとして計測し、これらの処理を繰返して、前記ジッタが最小となる記録パラメータに調整することを特徴とする光ディスク装置の記録制御方法。
【請求項１４】
データの記録および再生が可能な光ディスクに対する前記データ記録用の記録パラメータを調整する光ディスク装置の記録制御方法であって、記録パラメータとして任意の記録パワーおよび任意の記録パルス幅を設定し、ホストコンピュータからの指示で記録データの記録位置を設定し、前記設定による記録データを読み出した場合の変調度やアシンメトリを計測し、これらの処理を繰返して、前記変調度やアシンメトリが目標値となる記録パラメータに調整することを特徴とする光ディスク装置の記録制御方法。
【請求項１５】
請求項１２または請求項１３または請求項１４記載の光ディスク装置の記録制御方法であって、記録位置を自動で設定することを特徴とする光ディスク装置の記録制御方法。
【請求項１６】
請求項１２から請求項１５のいずれかに記載の光ディスク装置の記録制御方法であって、調整した前記記録パラメータを記憶することを特徴とする光ディスク装置の記録制御方法。
【請求項１７】
請求項１６記載の光ディスク装置の記録制御方法であって、前記記録パラメータ情報を専用に記憶し、装置内部のファームウェアを変更することなく前記記録パラメータを変更することを特徴とする光ディスク装置の記録制御方法。
【請求項１８】
請求項１６または請求項１７記載の光ディスク装置の記録制御方法であって、前記記録パラメータとともに、前記記録パラメータを識別するための記録パラメータ識別情報を記憶することを特徴とする光ディスク装置の記録制御方法。
【請求項１９】
請求項１８記載の光ディスク装置の記録制御方法であって、ホストコンピュータが、相互通信が可能なように接続され、前記ホストコンピュータからのコマンドに応じて、前記記録パラメータおよび前記記録パラメータ識別情報を、前記ホストコンピュータに送信することを特徴とする光ディスク装置の記録制御方法。
【請求項２０】
請求項１８または請求項１９記載の光ディスク装置の記録制御方法であって、搭載された光ディスクのディスク情報を読み出し、前記記録パラメータの調整処理実行の可否を判断し、その判断結果をもとに、前記記録パラメータ調整処理を実行することを特徴とする光ディスク装置の記録制御方法。
【請求項２１】
請求項２０記載の光ディスク装置の記録制御方法であって、前記ホストコンピュータを通じてネットワークや他の媒体から記録パラメータを取得するとともに、装置内の記録パラメータの識別情報を取得し、前記ネットワークや他の媒体からの記録パラメータの情報と前記装置内の記録パラメータ識別情報とを比較し、前記比較の結果に応じて、記録パラメータを更新することを特徴とする光ディスク装置の記録制御方法。
【請求項２２】
請求項１２から請求項１８のいずれかに記載の光ディスク装置の記録制御方法であって、内部で記憶している記録パラメータの識別情報と新たに調整した記録パラメータの識別情報とを比較し、前記比較結果に応じて、前記記録パラメータを更新することを特徴とする光ディスク装置の記録制御方法。
【発明の詳細な説明】
【技術分野】
【０００１】
本発明は、光ディスクへの記録時に用いられる記録パラメータを調整する機能を有する光ディスク装置およびその記録制御方法に関するものである。
【背景技術】
【０００２】
従来から広く使用されている光ディスク装置には、データの記録および再生が可能な光ディスク（例えば、ＣＤ−Ｒ、ＤＶＤ−Ｒなど）に対して、そのデータ記録の際に設定される記録パラメータとして記録パワーや記録パルス幅の値を、良好な記録品質を得るために適正な値に調整する機能を有しているものがある。
【０００３】
その一構成例（例えば、特許文献１を参照）として、上記記録パラメータの値を、光ディスク上に設けられたパワーキャリブレーションエリア（以下、ＰＣＡ）を用いて試し記録し、その再生信号に基づいて、良好な記録品質を得るために適正な値に調整しているものがある。
【０００４】
すなわち、記録パルスが先頭パルスと後続のパルス列で構成される場合、実際の記録前に、ＰＣＡに対して、ジッタ量が最小となる先頭記録パルス幅と記録パワーの関係と、ジッタ量が最小となる先頭記録パルス幅と後続パルス列デューティの関係と、任意の先頭パルス幅条件におけるジッタ量が最小となる記録パワー値とを元に、先頭パルス幅と後続パルス列のデューティと記録パワー条件を同時に変化させて、試し記録を行い、その読み取り信号に基づいて、適正な記録条件を決定している。
【０００５】
また、他の構成例（例えば、特許文献２を参照）として、上記記録パラメータの値を、記録中に戻り光とフロントモニタの信号より再生ジッタを推定し、その推定値に基づいて、良好な記録品質が得られるような値に補正するものもある。
【０００６】
すなわち、実際の記録中に、戻り光とフロントモニタの信号を用い、それらの差分信号と基準クロック信号との位相を比較して位相差を検出し、その位相差を基に記録信号を再生したときのジッタ量を推定し、ジッタ量に対応する補正データに基づきパルス信号のパルス幅を調整することにより、記録パルス幅を最適化している。
【特許文献１】特開２００１−１４３２６３号公報
【特許文献２】特開２００１−２６６３４６号公報
【発明の開示】
【発明が解決しようとする課題】
【０００７】
しかしながら上記のような特許文献１に開示されたＰＣＡ領域を用いて記録パラメータを調整する方式では、そのＰＣＡとして利用できる範囲が狭いアドレス領域に限定されているので、記録パラメータの探索範囲および探索回数に制約があり、適正な記録パラメータが得られる程には十分に調整できず、充分良好な記録品質を確保することができないという問題点を有していた。
【０００８】
また、特許文献２に開示された記録中に再生時のジッタ量を推定し記録パラメータを補正する方式では、ジッタ量推定の精度によっては適正な記録パラメータが得られず、十分に良好な記録品質が得られないという問題点も有していた。
【０００９】
本発明は、上記従来の問題点を解決するもので、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる光ディスク装置およびその記録制御方法を提供する。
【課題を解決するための手段】
【００１０】
上記の課題を解決するために、本発明の請求項１記載の光ディスク装置は、データの記録および再生が可能な光ディスクに対する前記データ記録用の記録パラメータを調整する光ディスク装置であって、任意の記録パワーを設定するパワー設定手段と、任意の記録パルス幅を設定するパルス幅設定手段と、ホストコンピュータからの指示で記録データの記録位置を設定する記録位置設定手段と、記録データを読み出した場合の訂正個数を計測する訂正個数計測手段と、記録パワーと記録パルス幅である記録パラメータを調整するパラメータ調整手段とを備えた構成としたことを特徴とする。
【００１１】
また、本発明の請求項１２記載の光ディスク装置の記録制御方法は、データの記録および再生が可能な光ディスクに対する前記データ記録用の記録パラメータを調整する光ディスク装置の記録制御方法であって、記録パラメータとして任意の記録パワーおよび任意の記録パルス幅を設定し、ホストコンピュータからの指示で記録データの記録位置を設定し、前記設定による記録データを読み出した場合の訂正個数を計測し、これらの処理を繰返して、前記訂正個数が最小となる記録パラメータに調整する方法としたことを特徴とする。
【００１２】
以上により、記録パラメータを調整するための試し記録を、不要となったり試し用と決めた光ディスク上のデータ領域に対して行うことにより、従来のＰＣＡを用いた場合に比べて遥かに多くの領域への試し記録が可能となり、記録パラメータの探索範囲および探索回数の制約もなく訂正個数の最も少ない記録パラメータを探索することができ、記録データの記録ミスや、それによる再生エラーをなくすことができる。
【００１３】
また、本発明の請求項２記載の光ディスク装置は、データの記録および再生が可能な光ディスクに対する前記データ記録用の記録パラメータを調整する光ディスク装置であって、任意の記録パワーを設定するパワー設定手段と、任意の記録パルス幅を設定するパルス幅設定手段と、ホストコンピュータからの指示で記録データの記録位置を設定する記録位置設定手段と、記録データを読み出した場合のリードクロックと記録データの時間誤差を計測するジッタ計測手段と、記録パワーと記録パルス幅である記録パラメータを調整するパラメータ調整手段とを備えた構成としたことを特徴とする。
【００１４】
また、本発明の請求項１３記載の光ディスク装置の記録制御方法は、データの記録および再生が可能な光ディスクに対する前記データ記録用の記録パラメータを調整する光ディスク装置の記録制御方法であって、記録パラメータとして任意の記録パワーおよび任意の記録パルス幅を設定し、ホストコンピュータからの指示で記録データの記録位置を設定し、前記設定による記録データを読み出した場合のリードクロックと記録データの時間誤差をジッタとして計測し、これらの処理を繰返して、前記ジッタが最小となる記録パラメータに調整する方法としたことを特徴とする。
【００１５】
以上により、ジッタを計測し、そのジッタが最小となる記録パラメータを探索することができ、記録データの記録ミスや、それによる再生エラーをなくすことができる。
また、本発明の請求項３記載の光ディスク装置は、データの記録および再生が可能な光ディスクに対する前記データ記録用の記録パラメータを調整する光ディスク装置であって、任意の記録パワーを設定するパワー設定手段と、任意の記録パルス幅を設定するパルス幅設定手段と、ホストコンピュータからの指示で記録データの記録位置を設定する記録位置設定手段と、記録データを読み出した場合の変調度やアシンメトリを計測する変調度計測手段と、記録パワーと記録パルス幅である記録パラメータを調整するパラメータ調整手段とを備えた構成としたことを特徴とする。
【００１６】
また、本発明の請求項１４記載の光ディスク装置の記録制御方法は、データの記録および再生が可能な光ディスクに対する前記データ記録用の記録パラメータを調整する光ディスク装置の記録制御方法であって、記録パラメータとして任意の記録パワーおよび任意の記録パルス幅を設定し、ホストコンピュータからの指示で記録データの記録位置を設定し、前記設定による記録データを読み出した場合の変調度やアシンメトリを計測し、これらの処理を繰返して、前記変調度やアシンメトリが目標値となる記録パラメータに調整する方法としたことを特徴とする。
【００１７】
以上により、アシンメトリや変調度を計測し、そのアシンメトリや変調度が目標どおりになる記録パラメータを探索することができ、記録データの記録ミスや、それによる再生エラーをなくすことができる。
【００１８】
また、本発明の請求項４記載の光ディスク装置は、請求項１または請求項２または請求項３記載の光ディスク装置であって、前記記録位置設定手段は、記録位置を自動で設定するよう構成したことを特徴とする。
【００１９】
また、本発明の請求項１５記載の光ディスク装置の記録制御方法は、請求項１２または請求項１３または請求項１４記載の光ディスク装置の記録制御方法であって、記録位置を自動で設定する方法としたことを特徴とする。
【００２０】
以上により、光ディスク装置が記録パラメータ調整のための試し記録する領域を未記録領域から自動で選択して設定することができ、記録パラメータ調整のための試し記録により使用済みとなった領域の二重書き込みによるデータ破壊や、記録パラメータの調整ミスをなくすことができる。
【００２１】
また、本発明の請求項５記載の光ディスク装置は、請求項１から請求項４のいずれかに記載の光ディスク装置であって、調整した前記記録パラメータを記憶するパラメータ記憶手段を設けた構成としたことを特徴とする。
【００２２】
また、本発明の請求項１６記載の光ディスク装置の記録制御方法は、請求項１２から請求項１５のいずれかに記載の光ディスク装置の記録制御方法であって、調整した前記記録パラメータを記憶する方法としたことを特徴とする。
【００２３】
以上により、調整した記録パラメータを保存することができ、同種類の光ディスクであれば、再調整しなくても記録データの記録ミスや、それによる再生エラーをなくすことができる。
【００２４】
また、本発明の請求項６記載の光ディスク装置は、請求項５記載の光ディスク装置であって、前記記録パラメータ情報専用の記憶手段と、装置内部のファームウェアを変更することなく前記記録パラメータを変更するパラメータ変更手段とを設けた構成としたことを特徴とする。
【００２５】
また、本発明の請求項１７記載の光ディスク装置の記録制御方法は、請求項１６記載の光ディスク装置の記録制御方法であって、前記記録パラメータ情報を専用に記憶し、装置内部のファームウェアを変更することなく前記記録パラメータを変更する方法としたことを特徴とする。
【００２６】
以上により、光ディスクに対応した記録パラメータを含んでいる新しい光ディスクが市場に出たときにも、この光ディスクからの新しい記録パラメータを、ファームウェアを変更することなく更新することができ、記録パラメータの更新時に装置におけるファームウェアの破壊をなくすことができる。
【００２７】
また、本発明の請求項７記載の光ディスク装置は、請求項５または請求項６記載の光ディスク装置であって、前記記録パラメータとともに、前記記録パラメータを識別するための記録パラメータ識別情報を記憶するパラメータ識別情報記憶手段を設けた構成としたことを特徴とする。
【００２８】
また、本発明の請求項１８記載の光ディスク装置の記録制御方法は、請求項１６または請求項１７記載の光ディスク装置の記録制御方法であって、前記記録パラメータとともに、前記記録パラメータを識別するための記録パラメータ識別情報を記憶する方法としたことを特徴とする。
【００２９】
以上により、記録パラメータの他に記録パラメータの識別情報を保存することができ、識別情報に応じて記録パラメータ調整の実行の有無を判断することができる。
また、本発明の請求項８記載の光ディスク装置は、請求項７記載の光ディスク装置であって、ホストコンピュータが、相互通信が可能なように接続され、前記ホストコンピュータからのコマンドに応じて、前記記録パラメータおよび前記記録パラメータ識別情報を、前記ホストコンピュータに送信するパラメータ送信手段を設けた構成としたことを特徴とする。
【００３０】
また、本発明の請求項１９記載の光ディスク装置の記録制御方法は、請求項１８記載の光ディスク装置の記録制御方法であって、ホストコンピュータが、相互通信が可能なように接続され、前記ホストコンピュータからのコマンドに応じて、前記記録パラメータおよび前記記録パラメータ識別情報を、前記ホストコンピュータに送信する方法としたことを特徴とする。
【００３１】
以上により、記録パラメータの識別情報をホストコンピュータに送信することができ、ホストコンピュータ側で記録パラメータの更新を指示することができる。
また、本発明の請求項９記載の光ディスク装置は、請求項７または請求項８記載の光ディスク装置であって、搭載された光ディスクのディスク情報を読み出し、前記記録パラメータの調整処理実行の可否を判断する手段と、その判断結果をもとに、前記記録パラメータ調整処理を実行する手段とを設けた構成としたことを特徴とする。
【００３２】
また、本発明の請求項２０記載の光ディスク装置の記録制御方法は、請求項１８または請求項１９記載の光ディスク装置の記録制御方法であって、搭載された光ディスクのディスク情報を読み出し、前記記録パラメータの調整処理実行の可否を判断し、その判断結果をもとに、前記記録パラメータ調整処理を実行する方法としたことを特徴とする。
【００３３】
以上により、ディスク情報をもとに記録パラメータの調整の実施の有無を判断するので、設計段階で市場にでていないディスクなど未対応のディスクの場合、通常の記録前のパラメータ調整とは別のデータ領域を使った記録パラメータの調整を実施することが可能となり未対応のディスクであっても記録データの記録失敗や再生エラーをなくすことができる。
【００３４】
また、本発明の請求項１０記載の光ディスク装置は、請求項９記載の光ディスク装置であって、前記ホストコンピュータを通じてネットワークや他の媒体から記録パラメータを取得する手段と、装置内の記録パラメータの識別情報を取得する手段と、前記ネットワークや他の媒体からの記録パラメータの情報と前記装置内の記録パラメータ識別情報とを比較する手段と、前記比較の結果に応じて、記録パラメータを更新する手段とを設けた構成としたことを特徴とする。
【００３５】
また、本発明の請求項２１記載の光ディスク装置の記録制御方法は、請求項２０記載の光ディスク装置の記録制御方法であって、前記ホストコンピュータを通じてネットワークや他の媒体から記録パラメータを取得するとともに、装置内の記録パラメータの識別情報を取得し、前記ネットワークや他の媒体からの記録パラメータの情報と前記装置内の記録パラメータ識別情報とを比較し、前記比較の結果に応じて、記録パラメータを更新する方法としたことを特徴とする。
【００３６】
以上により、光ディスク装置の記録パラメータ識別情報と他の媒体からの記録パラメータを比較し記録パラメータの変更実施を判断することができる。
また、本発明の請求項１１記載の光ディスク装置は、請求項１から請求項７のいずれかに記載の光ディスク装置であって、内部で記憶している記録パラメータの識別情報と新たに調整した記録パラメータの識別情報とを比較する手段と、前記比較結果に応じて、前記記録パラメータを更新する手段とを設けた構成としたことを特徴とする。
【００３７】
また、本発明の請求項２２記載の光ディスク装置の記録制御方法は、請求項１２から請求項１８のいずれかに記載の光ディスク装置の記録制御方法であって、内部で記憶している記録パラメータの識別情報と新たに調整した記録パラメータの識別情報とを比較し、前記比較結果に応じて、前記記録パラメータを更新する方法としたことを特徴とする。
【００３８】
以上により、光ディスク装置内部の記録パラメータ識別情報と新たに調整した記録パラメータの識別情報で記録パラメータ変更実施を判断することができる。
【発明の効果】
【００３９】
以上のように本発明によれば、記録パラメータを調整するための試し記録を、不要となったり試し用と決めた光ディスク上のデータ領域に対して行うことにより、従来のＰＣＡを用いた場合に比べて遥かに多くの領域への試し記録が可能となり、記録パラメータの探索範囲および探索回数の制約もなく訂正個数の最も少ない記録パラメータを探索することができ、記録データの記録ミスや、それによる再生エラーをなくすことができる。
【００４０】
以上により、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
【００４１】
また、記録パラメータの値として、光ディスクの種類に関係なく常に最良の記録品質が得られる値を保持することができ、それらの種類に関係なく、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
【００４２】
また、新しく市場に出た種類の光ディスクに対しても、それらの種類に関係なく確実に対応することができ、従来から存在する光ディスクと同様に、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
【発明を実施するための最良の形態】
【００４３】
以下、本発明の実施の形態を示す光ディスク装置およびその記録制御方法について、図面を参照しながら具体的に説明する。なおここでは、光ディスクとして、例えば１回のみの書き込みが可能なＣＤ−Ｒ、ＤＶＤ−Ｒを想定して説明する。
（実施の形態１）
本発明の実施の形態１の光ディスク装置およびその記録制御方法を説明する。
【００４４】
図１は本実施の形態１の光ディスク装置の構成を示すブロック図である。図１において、１は光ビームを用いて光ディスクに対してデータを記録および再生するピックアップ、２はピックアップ１に対して記録時に用いる記録パラメータとして任意の記録パワーを設定するパワー設定部、３はピックアップ１に対して記録時に用いる記録パラメータとして任意の記録パルス幅を設定するパルス幅設定部、４はピックアップ１により光ディスクから記録データを読み出した場合に、その記録データを正しく読み取るために誤り訂正をしたデータ数を訂正個数として計測する訂正個数計測部、５はホストコンピュータ（図示せず）からの指示で記録データの光ディスク上の記録位置（記録アドレス）を設定する記録位置設定部、６は記録パラメータとしてパワー設定部２に設定指示する記録パワーとパルス幅設定部３に設定指示する記録パルス幅を調整する調整部である。
【００４５】
以上のように構成された光ディスク装置について、その記録制御方法を以下に説明する。
本実施の形態では、ユーザの操作上で起きた記録ミス等により不要となったが多くの未記録領域が残存するディスクや、ユーザが任意に試し用として決めた未記録ディスクを用い、それらの未記録領域に試し記録しながら、その再生信号に基づいて記録パラメータの調整を行うようにする。
【００４６】
まず図１に示すように、調整部６により調整した任意の記録パラメータを、パワー設定部２とパルス幅設定部３からピックアップ１に対して設定し、ホストコンピュータからの指示により記録位置設定部５で予め任意にアドレス設定した光ディスク上のデータ領域に、任意に決めた所定データをピックアップ１により記録する。この場合の一回の記録データ数は、通常ＣＤ、ＤＶＤともに１６セクタ分としている。
【００４７】
次に、上記のようにして記録した所定データを光ディスクからピックアップ１で読み出し、この所定データの読み取り時に誤り訂正したことによって正しく読み取りができたデータ数を、訂正個数として訂正個数計測部４により計測する。
【００４８】
以上のような記録および読み出しを、光ディスクの未記録領域から無作為にアドレス設定したデータ領域に対して複数回繰り返すことにより、訂正個数計測部４により計測した訂正個数が最小となる記録パワーと記録パルス幅を、それぞれ記録パラメータの適正値として精度良く決定することができる。
【００４９】
以上のように本実施の形態においては、記録パラメータを調整するための試し記録を、不要となったり試し用と決めた光ディスク上のデータ領域に対して行うことにより、従来のＰＣＡを用いた場合に比べて遥かに多くの領域（通常ＤＶＤで３００倍以上）への試し記録が可能となり、記録パラメータの探索範囲および探索回数の制約もなく訂正個数の最も少ない記録パラメータを探索することができ、記録データの記録ミスや、それによる再生エラーをなくすことができる。なお、ＣＤ−Ｒの場合は、全記録容量がＤＶＤ−Ｒに比べて約１／８程度と少ないため、記録パラメータとして記録パワーのみを調整するようにしている。
【００５０】
以上により、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態２）
本発明の実施の形態２の光ディスク装置およびその記録制御方法を説明する。
【００５１】
図２は本実施の形態２の光ディスク装置の構成を示すブロック図である。図２において、１は光ビームを用いて光ディスクに対してデータを記録および再生するピックアップ、２はピックアップ１に対して記録時に用いる記録パラメータとして任意の記録パワーを設定するパワー設定部、３はピックアップ１に対して記録時に用いる記録パラメータとして任意の記録パルス幅を設定するパルス幅設定部、２４は光ディスクからピックアップ１で記録データを読み出した場合のリードクロックと光ディスクへの記録データの時間誤差（以下、ジッタ）を計測するジッタ計測部、５はホストコンピュータ（図示せず）からの指示で記録データの光ディスク上の記録位置（記録アドレス）を設定する記録位置設定部、６は記録パラメータとしてパワー設定部２に設定指示する記録パワーとパルス幅設定部３に設定指示する記録パルス幅を調整する調整部である。
【００５２】
以上のように構成された光ディスク装置について、その記録制御方法を以下に説明する。
本実施の形態では、ユーザの操作上で起きた記録ミス等により不要となったが多くの未記録領域が残存するディスクや、ユーザが任意に試し用として決めた未記録ディスクを用い、それらの未記録領域に試し記録しながら、その再生信号に基づいて記録パラメータの調整を行うようにする。
【００５３】
まず図２に示すように、調整部６により調整した任意の記録パラメータを、パワー設定部２とパルス幅設定部３からピックアップ１に対して設定し、ホストコンピュータからの指示により記録位置設定部５で予め任意にアドレス設定した光ディスク上のデータ領域に、任意に決めた所定データをピックアップ１により記録する。この場合の一回の記録データ数は、通常ＣＤ、ＤＶＤともに１６セクタ分としている。
【００５４】
次に、上記のようにして記録した所定データを光ディスクからピックアップ１で読み出した場合のリードクロックと光ディスクへの記録データの時間誤差であるジッタ値をジッタ計測部２４により計測する。
【００５５】
以上のような記録および読み出しを、光ディスクの未記録領域から無作為にアドレス設定したデータ領域に対して複数回繰り返すことにより、ジッタ計測部２４により計測したジッタ値が最小となる記録パワーと記録パルス幅を、それぞれ記録パラメータの適正値として精度良く決定することができる。
【００５６】
以上のように本実施の形態においては、記録パラメータを調整するための試し記録を、不要となったり試し用と決めた光ディスク上のデータ領域に対して行うことにより、従来のＰＣＡを用いた場合に比べて遥かに多くの領域（通常ＤＶＤで３００倍以上）への試し記録が可能となり、記録パラメータの探索範囲および探索回数の制約もなく訂正個数の最も少ない記録パラメータを探索することができ、記録データの記録ミスや、それによる再生エラーをなくすことができる。なお、ＣＤ−Ｒの場合は、全記録容量がＤＶＤ−Ｒに比べて約１／８程度と少ないため、記録パラメータとして記録パワーのみを調整するようにしている。
【００５７】
以上により、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態３）
本発明の実施の形態３の光ディスク装置およびその記録制御方法を説明する。
【００５８】
図３は本実施の形態３の光ディスク装置の構成を示すブロック図である。図３において、１は光ビームを用いて光ディスクに対してデータを記録および再生するピックアップ、２はピックアップ１に対して記録時に用いる記録パラメータとして任意の記録パワーを設定するパワー設定部、３はピックアップ１に対して記録時に用いる記録パラメータとして任意の記録パルス幅を設定するパルス幅設定部、３４は記録データを読み込んだ場合の変調度やアシンメトリを計測する変調度計測部、５はホストコンピュータ（図示せず）からの指示で記録データの光ディスク上の記録位置（記録アドレス）を設定する記録位置設定部、６は記録パラメータとしてパワー設定部２に設定指示する記録パワーとパルス幅設定部３に設定指示する記録パルス幅を調整する調整部である。
【００５９】
以上のように構成された光ディスク装置について、その記録制御方法を以下に説明する。
本実施の形態では、ユーザの操作上で起きた記録ミス等により不要となったが多くの未記録領域が残存するディスクや、ユーザが任意に試し用として決めた未記録ディスクを用い、それらの未記録領域に試し記録しながら、その再生信号に基づいて記録パラメータの調整を行うようにする。
【００６０】
まず図３に示すように、調整部６により調整した任意の記録パラメータを、パワー設定部２とパルス幅設定部３からピックアップ１に対して設定し、ホストコンピュータからの指示により記録位置設定部５で予め任意にアドレス設定した光ディスク上のデータ領域に、任意に決めた所定データをピックアップ１により記録する。この場合の一回の記録データ数は、通常ＣＤ、ＤＶＤともに１６セクタ分としている。
【００６１】
次に、上記のようにして記録した所定データを光ディスクからピックアップ１で読み出した場合の変調度を変調度計測部３４により計測する。
以上のような記録および読み出しを、光ディスクの未記録領域から無作為にアドレス設定したデータ領域に対して複数回繰り返すことにより、変調度計測部３４により計測した変調度が最小となる記録パワーと記録パルス幅を、それぞれ記録パラメータの適正値として精度良く決定することができる。
【００６２】
以上のように本実施の形態においては、記録パラメータを調整するための試し記録を、不要となったり試し用と決めた光ディスク上のデータ領域に対して行うことにより、従来のＰＣＡを用いた場合に比べて遥かに多くの領域（通常ＤＶＤで３００倍以上）への試し記録が可能となり、記録パラメータの探索範囲および探索回数の制約もなく訂正個数の最も少ない記録パラメータを探索することができ、記録データの記録ミスや、それによる再生エラーをなくすことができる。なお、ＣＤ−Ｒの場合は、全記録容量がＤＶＤ−Ｒに比べて約１／８程度と少ないため、記録パラメータとして記録パワーのみを調整するようにしている。
【００６３】
以上のように本実施の形態においては、変調度を計測し、その変調度が目標どおりになる記録パラメータを探索することができ、記録データの記録ミスや、それによる再生エラーをなくすことができる。
【００６４】
以上により、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
【００６５】
また、変調度のかわりにアシンメトリ（記録信号の対称性）を使っても良く、変調度とアシンメトリの両方を組み合わせても良い。
（実施の形態４）
本発明の実施の形態４の光ディスク装置およびその記録制御方法を説明する。
【００６６】
図４は本実施の形態４の光ディスク装置の構成を示すブロック図である。図４において、１は光ビームを用いて光ディスクに対してデータを記録および再生するピックアップ、２はピックアップ１に対して記録時に用いる記録パラメータとして任意の記録パワーを設定するパワー設定部、３はピックアップ１に対して記録時に用いる記録パラメータとして任意の記録パルス幅を設定するパルス幅設定部、４はピックアップ１により光ディスクから記録データを読み出した場合に、その記録データを正しく読み取るために誤り訂正をしたデータ数を訂正個数として計測する訂正個数計測部、４５は光ディスク上の未記録領域を検出し、その未記録領域から、自動で記録位置を選択して設定する自動記録位置設定部、６は記録パラメータとしてパワー設定部２に設定指示する記録パワーとパルス幅設定部３に設定指示する記録パルス幅を調整する調整部である。
【００６７】
以上のように構成された光ディスク装置について、その記録制御方法を以下に説明する。
本実施の形態では、ユーザの操作上で起きた記録ミス等により不要となったが多くの未記録領域が残存するディスクや、ユーザが任意に試し用として決めた未記録ディスクを用い、それらの未記録領域に試し記録しながら、その再生信号に基づいて記録パラメータの調整を行うようにする。
【００６８】
まず図４に示すように、調整部６により調整した任意の記録パラメータを、パワー設定部２とパルス幅設定部３からピックアップ１に対して設定し、自動記録位置設定部４５により、光ディスク上の未記録領域を検出し、その未記録領域から自動で記録位置を選択して、記録パラメータ調整のための試し記録領域として自動的に設定した光ディスク上のデータ領域に、任意に決めた所定データをピックアップ１により記録する。この場合の一回の記録データ数は、通常ＣＤ、ＤＶＤともに１６セクタ分としている。
【００６９】
次に、上記のようにして記録した所定データを光ディスクからピックアップ１で読み出し、この所定データの読み取り時に誤り訂正したことによって正しく読み取りができたデータ数を、訂正個数として訂正個数計測部４により計測する。
【００７０】
以上のような記録および読み出しを、光ディスクの未記録領域から無作為にアドレス設定したデータ領域に対して複数回繰り返すことにより、訂正個数計測部４により計測した訂正個数が最小となる記録パワーと記録パルス幅を、それぞれ記録パラメータの適正値として精度良く決定することができる。
【００７１】
以上のように本実施の形態においては、記録パラメータを調整するための試し記録を、不要となったり試し用と決めた光ディスク上のデータ領域に対して行うことにより、従来のＰＣＡを用いた場合に比べて遥かに多くの領域（通常ＤＶＤで３００倍以上）への試し記録が可能となり、記録パラメータの探索範囲および探索回数の制約もなく訂正個数の最も少ない記録パラメータを探索することができ、記録データの記録ミスや、それによる再生エラーをなくすことができる。なお、ＣＤ−Ｒの場合は、全記録容量がＤＶＤ−Ｒに比べて約１／８程度と少ないため、記録パラメータとして記録パワーのみを調整するようにしている。
【００７２】
従来のように、ＣＤ−ＲやＤＶＤ−Ｒ等のＰＣＡ領域において記録パラメータの調整のために試し記録する場合には、そのＰＣＡ領域に二重書きしてしまった場合、そこの記録データが乱れてしまい、記録パラメータ調整のために光ディスクから読み出したデータが正しいデータでなくなるために、調整ミスが起こる。
【００７３】
これに対して、本実施の形態においては、光ディスク装置が記録パラメータ調整のための試し記録する領域を未記録領域から自動で選択して設定することができ、記録パラメータ調整のための試し記録により使用済みとなった領域の二重書き込みによるデータ破壊や、記録パラメータの調整ミスをなくすことができる。
【００７４】
以上により、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態５）
本発明の実施の形態５の光ディスク装置およびその記録制御方法を説明する。
【００７５】
図５は本実施の形態５の光ディスク装置の構成を示すブロック図である。図５において、１は光ビームを用いて光ディスクに対してデータを記録および再生するピックアップ、２はピックアップ１に対して記録時に用いる記録パラメータとして任意の記録パワーを設定するパワー設定部、３はピックアップ１に対して記録時に用いる記録パラメータとして任意の記録パルス幅を設定するパルス幅設定部、４はピックアップ１により光ディスクから記録データを読み出した場合に、その記録データを正しく読み取るために誤り訂正をしたデータ数を訂正個数として計測する訂正個数計測部、５はホストコンピュータ（図示せず）からの指示で記録データの光ディスク上の記録位置（記録アドレス）を設定する記録位置設定部、６は記録パラメータとしてパワー設定部２に設定指示する記録パワーとパルス幅設定部３に設定指示する記録パルス幅を調整する調整部、７は調整した記録パラメータを保存する記録パラメータ記憶部である。
【００７６】
以上のように構成された光ディスク装置について、その記録制御方法を以下に説明する。
本実施の形態では、ユーザの操作上で起きた記録ミス等により不要となったが多くの未記録領域が残存するディスクや、ユーザが任意に試し用として決めた未記録ディスクを用い、それらの未記録領域に試し記録しながら、その再生信号に基づいて記録パラメータの調整を行うようにする。
【００７７】
まず図５に示すように、調整部６により調整した任意の記録パラメータを、パワー設定部２とパルス幅設定部３からピックアップ１に対して設定し、ホストコンピュータからの指示により記録位置設定部５で予め任意にアドレス設定した光ディスク上のデータ領域に、任意に決めた所定データをピックアップ１により記録する。この場合の一回の記録データ数は、通常ＣＤ、ＤＶＤともに１６セクタ分としている。
【００７８】
次に、上記のようにして記録した所定データを光ディスクからピックアップ１で読み出し、この所定データの読み取り時に誤り訂正したことによって正しく読み取りができたデータ数を、訂正個数として訂正個数計測部４により計測する。
【００７９】
以上のような記録および読み出しを、光ディスクの未記録領域から無作為にアドレス設定したデータ領域に対して複数回繰り返すことにより、訂正個数計測部４により計測した訂正個数が最小となる記録パワーと記録パルス幅を、それぞれ記録パラメータの適正値として精度良く決定することができる。その後、それぞれの記録パラメータの適正値を記録パラメータ記憶部７に保存する。
【００８０】
以上のように本実施の形態においては、記録パラメータを調整するための試し記録を、不要となったり試し用と決めた光ディスク上のデータ領域に対して行うことにより、従来のＰＣＡを用いた場合に比べて遥かに多くの領域（通常ＤＶＤで３００倍以上）への試し記録が可能となり、記録パラメータの探索範囲および探索回数の制約もなく訂正個数の最も少ない記録パラメータを探索することができ、記録データの記録ミスや、それによる再生エラーをなくすことができる。なお、ＣＤ−Ｒの場合は、全記録容量がＤＶＤ−Ｒに比べて約１／８程度と少ないため、記録パラメータとして記録パワーのみを調整するようにしている。またそれぞれの記録パラメータの適正値を記録パラメータ記憶部７に保存することにより次回記録時のパラメータとして利用できる。
【００８１】
以上のように本実施の形態においては、調整した記録パラメータを保存することができ、同種類の光ディスクであれば、再調整しなくても記録データの記録ミスや、それによる再生エラーをなくすことができる。ここで、異なる種類の光ディスクとは、ＣＤ−Ｒ、ＣＤ−ＲＷ、ＤＶＤ−Ｒ、ＤＶＤ−ＲＷ、ＤＶＤ−ＲＡＭ等の光ディスクそのものの種類違いだけでなく、メーカや同一のメーカ内のロット違いや同種類の光ディスクでも倍速等の規格違い等の違いがある光ディスク同士とする。
【００８２】
以上により、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態６）
本発明の実施の形態６の光ディスク装置およびその記録制御方法を説明する。
【００８３】
図６は本実施の形態６の光ディスク装置の構成を示すブロック図である。図６において、１は光ビームを用いて光ディスクに対してデータを記録および再生するピックアップ、２はピックアップ１に対して記録時に用いる記録パラメータとして任意の記録パワーを設定するパワー設定部、３はピックアップ１に対して記録時に用いる記録パラメータとして任意の記録パルス幅を設定するパルス幅設定部、４はピックアップ１により光ディスクから記録データを読み出した場合に、その記録データを正しく読み取るために誤り訂正をしたデータ数を訂正個数として計測する訂正個数計測部、５はホストコンピュータ（図示せず）からの指示で記録データの光ディスク上の記録位置（記録アドレス）を設定する記録位置設定部、６は記録パラメータとしてパワー設定部２に設定指示する記録パワーとパルス幅設定部３に設定指示する記録パルス幅を調整する調整部、７は調整した記録パラメータを保存する記録パラメータ記憶部、８は光ディスク装置内部のファームウェアと独立で記録パラメータ記憶手段７内の記録パラメータを変更可能な記録パラメータ変更手段である。
【００８４】
以上のように構成された光ディスク装置について、その記録制御方法を以下に説明する。
本実施の形態では、ユーザの操作上で起きた記録ミス等により不要となったが多くの未記録領域が残存するディスクや、ユーザが任意に試し用として決めた未記録ディスクを用い、それらの未記録領域に試し記録しながら、その再生信号に基づいて記録パラメータの調整を行うようにする。
【００８５】
まず図６に示すように、調整部６により調整した任意の記録パラメータを、パワー設定部２とパルス幅設定部３からピックアップ１に対して設定し、ホストコンピュータからの指示により記録位置設定部５で予め任意にアドレス設定した光ディスク上のデータ領域に、任意に決めた所定データをピックアップ１により記録する。この場合の一回の記録データ数は、通常ＣＤ、ＤＶＤともに１６セクタ分としている。
【００８６】
次に、上記のようにして記録した所定データを光ディスクからピックアップ１で読み出し、この所定データの読み取り時に誤り訂正したことによって正しく読み取りができたデータ数を、訂正個数として訂正個数計測部４により計測する。
【００８７】
以上のような記録および読み出しを、光ディスクの未記録領域から無作為にアドレス設定したデータ領域に対して複数回繰り返すことにより、訂正個数計測部４により計測した訂正個数が最小となる記録パワーと記録パルス幅を、それぞれ記録パラメータの適正値として精度良く決定することができる。その後、それぞれの記録パラメータの適正値を記録パラメータ記憶部７に保存する。また記録パラメータ変更手段８により、記録パラメータ記憶手段７内の記録パラメータを、ファームウェアを変更することなく更新する。
【００８８】
以上のように本実施の形態においては、記録パラメータを調整するための試し記録を、不要となったり試し用と決めた光ディスク上のデータ領域に対して行うことにより、従来のＰＣＡを用いた場合に比べて遥かに多くの領域（通常ＤＶＤで３００倍以上）への試し記録が可能となり、記録パラメータの探索範囲および探索回数の制約もなく訂正個数の最も少ない記録パラメータを探索することができ、記録データの記録ミスや、それによる再生エラーをなくすことができる。なお、ＣＤ−Ｒの場合は、全記録容量がＤＶＤ−Ｒに比べて約１／８程度と少ないため、記録パラメータとして記録パワーのみを調整するようにしている。またそれぞれの記録パラメータの適正値を次回記録時のパラメータとして利用できる。またファームウェアを変更することなく記録パラメータと識別情報を保存することができる。
【００８９】
以上のように本実施の形態においては、その光ディスクに対応した記録パラメータを含んでいる新しい光ディスクが市場に出たときにも、この光ディスクからの新しい記録パラメータを、ファームウェアを変更することなく更新することができ、記録パラメータの更新時に装置のファームウェアを破壊するようなことがなくなる。ここで、ファームウェアとは、電気的に書き換えが可能なフラッシュメモリ等に書き込まれており、光ディスクドライバを駆動動作させるためのソフトウエアである。
【００９０】
以上により、記録パラメータの値として、光ディスクの種類に関係なく常に最良の記録品質が得られる値を保持することができ、それらの種類に関係なく、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態７）
本発明の実施の形態７の光ディスク装置およびその記録制御方法を説明する。
【００９１】
図７は本実施の形態７の光ディスク装置の構成を示すブロック図である。図７において、１は光ビームを用いて光ディスクに対してデータを記録および再生するピックアップ、２はピックアップ１に対して記録時に用いる記録パラメータとして任意の記録パワーを設定するパワー設定部、３はピックアップ１に対して記録時に用いる記録パラメータとして任意の記録パルス幅を設定するパルス幅設定部、４はピックアップ１により光ディスクから記録データを読み出した場合に、その記録データを正しく読み取るために誤り訂正をしたデータ数を訂正個数として計測する訂正個数計測部、５はホストコンピュータ（図示せず）からの指示で記録データの光ディスク上の記録位置（記録アドレス）を設定する記録位置設定部、６は記録パラメータとしてパワー設定部２に設定指示する記録パワーとパルス幅設定部３に設定指示する記録パルス幅を調整する調整部、７は調整した記録パラメータを保存する記録パラメータ記憶部、８は光ディスク装置内部のファームウェアと独立で記録パラメータ記憶手段７内の記録パラメータを変更可能な記録パラメータ変更手段である。９は記録パラメータの識別情報（例えば、記録パラメータを調整した時間、記録パラメータを調整した時の訂正個数など）を記憶するパラメータ識別情報記憶部である。
【００９２】
以上のように構成された光ディスク装置について、その記録制御方法を以下に説明する。
本実施の形態では、ユーザの操作上で起きた記録ミス等により不要となったが多くの未記録領域が残存するディスクや、ユーザが任意に試し用として決めた未記録ディスクを用い、それらの未記録領域に試し記録しながら、その再生信号に基づいて記録パラメータの調整を行うようにする。
【００９３】
まず図７に示すように、調整部６により調整した任意の記録パラメータを、パワー設定部２とパルス幅設定部３からピックアップ１に対して設定し、ホストコンピュータからの指示により記録位置設定部５で予め任意にアドレス設定した光ディスク上のデータ領域に、任意に決めた所定データをピックアップ１により記録する。この場合の一回の記録データ数は、通常ＣＤ、ＤＶＤともに１６セクタ分としている。
【００９４】
次に、上記のようにして記録した所定データを光ディスクからピックアップ１で読み出し、この所定データの読み取り時に誤り訂正したことによって正しく読み取りができたデータ数を、訂正個数として訂正個数計測部４により計測する。
【００９５】
以上のような記録および読み出しを、光ディスクの未記録領域から無作為にアドレス設定したデータ領域に対して複数回繰り返すことにより、訂正個数計測部４により計測した訂正個数が最小となる記録パワーと記録パルス幅を、それぞれ記録パラメータの適正値として精度良く決定することができる。その後、それぞれの記録パラメータの適正値を記録パラメータ記憶部７に保存する。また記録パラメータ変更手段８により、記録パラメータ記憶手段７内の記録パラメータを更新し、パラメータ識別情報記憶部９により、調整部６で調整した記録パラメータの他に、その記録パラメータの識別情報を保存する。
【００９６】
以上のように本実施の形態においては、記録パラメータを調整するための試し記録を、不要となったり試し用と決めた光ディスク上のデータ領域に対して行うことにより、従来のＰＣＡを用いた場合に比べて遥かに多くの領域（通常ＤＶＤで３００倍以上）への試し記録が可能となり、記録パラメータの探索範囲および探索回数の制約もなく訂正個数の最も少ない記録パラメータを探索することができ、記録データの記録ミスや、それによる再生エラーをなくすことができる。なお、ＣＤ−Ｒの場合は、全記録容量がＤＶＤ−Ｒに比べて約１／８程度と少ないため、記録パラメータとして記録パワーのみを調整するようにしている。またそれぞれの記録パラメータの適正値を次回記録時のパラメータとして利用できる。またファームウェアを変更することなく記録パラメータと識別情報を保存することができる。
【００９７】
以上のように本実施の形態においては、記録パラメータの他に記録パラメータの識別情報を保存することができ、識別情報に応じて記録パラメータ調整の実行の有無を判断することが可能となる。
【００９８】
以上により、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態８）
本発明の実施の形態８の光ディスク装置およびその記録制御方法を説明する。
【００９９】
図８は本実施の形態８の光ディスク装置の構成を示すブロック図である。図８において、１は光ビームを用いて光ディスクに対してデータを記録および再生するピックアップ、２はピックアップ１に対して記録時に用いる記録パラメータとして任意の記録パワーを設定するパワー設定部、３はピックアップ１に対して記録時に用いる記録パラメータとして任意の記録パルス幅を設定するパルス幅設定部、４はピックアップ１により光ディスクから記録データを読み出した場合に、その記録データを正しく読み取るために誤り訂正をしたデータ数を訂正個数として計測する訂正個数計測部、５はホストコンピュータ（図示せず）からの指示で記録データの光ディスク上の記録位置（記録アドレス）を設定する記録位置設定部、６は記録パラメータとしてパワー設定部２に設定指示する記録パワーとパルス幅設定部３に設定指示する記録パルス幅を調整する調整部、７は調整した記録パラメータを保存する記録パラメータ記憶部、８は光ディスク装置内部のファームウェアと独立で記録パラメータ記憶手段７内の記録パラメータを変更可能な記録パラメータ変更手段である。９は記録パラメータの識別情報（例えば、記録パラメータを調整した時間、記録パラメータを調整した時の訂正個数など）を記憶するパラメータ識別情報記憶部である。８０はパラメータ識別情報記憶部９に記憶した記録パラメータの識別情報を、光ディスク装置に接続されたホストコンピュータに送信する送信手段である。
【０１００】
以上のように構成された光ディスク装置について、その記録制御方法を以下に説明する。
本実施の形態では、ユーザの操作上で起きた記録ミス等により不要となったが多くの未記録領域が残存するディスクや、ユーザが任意に試し用として決めた未記録ディスクを用い、それらの未記録領域に試し記録しながら、その再生信号に基づいて記録パラメータの調整を行うようにする。
【０１０１】
まず図８に示すように、調整部６により調整した任意の記録パラメータを、パワー設定部２とパルス幅設定部３からピックアップ１に対して設定し、ホストコンピュータからの指示により記録位置設定部５で予め任意にアドレス設定した光ディスク上のデータ領域に、任意に決めた所定データをピックアップ１により記録する。この場合の一回の記録データ数は、通常ＣＤ、ＤＶＤともに１６セクタ分としている。
【０１０２】
次に、上記のようにして記録した所定データを光ディスクからピックアップ１で読み出し、この所定データの読み取り時に誤り訂正したことによって正しく読み取りができたデータ数を、訂正個数として訂正個数計測部４により計測する。
【０１０３】
以上のような記録および読み出しを、光ディスクの未記録領域から無作為にアドレス設定したデータ領域に対して複数回繰り返すことにより、訂正個数計測部４により計測した訂正個数が最小となる記録パワーと記録パルス幅を、それぞれ記録パラメータの適正値として精度良く決定することができる。その後、それぞれの記録パラメータの適正値を記録パラメータ記憶部７に保存する。また記録パラメータ変更手段８により、記録パラメータ記憶手段７内の記録パラメータを更新し、パラメータ識別情報記憶部９により、調整部６で調整した記録パラメータの他に、その記録パラメータの識別情報を保存する。また送信手段８０により、パラメータ識別情報記憶部９に記憶した記録パラメータの識別情報を、光ディスク装置に接続されたホストコンピュータに送信する。
【０１０４】
以上のように本実施の形態においては、記録パラメータを調整するための試し記録を、不要となったり試し用と決めた光ディスク上のデータ領域に対して行うことにより、従来のＰＣＡを用いた場合に比べて遥かに多くの領域（通常ＤＶＤで３００倍以上）への試し記録が可能となり、記録パラメータの探索範囲および探索回数の制約もなく訂正個数の最も少ない記録パラメータを探索することができ、記録データの記録ミスや、それによる再生エラーをなくすことができる。なお、ＣＤ−Ｒの場合は、全記録容量がＤＶＤ−Ｒに比べて約１／８程度と少ないため、記録パラメータとして記録パワーのみを調整するようにしている。またそれぞれの記録パラメータの適正値を次回記録時のパラメータとして利用できる。またファームウェアを変更することなく記録パラメータと識別情報を保存することができ、ホストコンピュータとの送受信により、記録パラメータの更新ができる。
【０１０５】
以上のように本実施の形態においては、記録パラメータの識別情報をホストコンピュータに送信することができ、ホストコンピュータ側で記録パラメータの更新を指示することが可能となる。
【０１０６】
以上により、記録パラメータの値として、光ディスクの種類に関係なく常に最良の記録品質が得られる値を保持することができ、それらの種類に関係なく、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態９）
本発明の実施の形態９の光ディスク装置およびその記録制御方法を説明する。
【０１０７】
この光ディスク装置の構成特徴は、図示しないが、ピックアップにより光ディスクからそのディスク情報を読み取る手段と、読み取ったディスク情報に基づいて、実施の形態１〜８で説明した記録パラメータの調整処理を実行するかどうかの可否を判断する手段と、記録パラメータの調整処理が必要な場合に記録パラメータ調整を実行する手段とを設けた点である。
【０１０８】
以上のように構成された光ディスク装置について、その記録制御方法を以下に説明する。
図９は本実施の形態９の光ディスク装置の記録制御方法における記録パラメータ更新時の動作を示すフローチャートである。図９に示すように、ピックアップにより光ディスクからそのディスク情報を読み取り（Ｓ９１）、読み取ったディスク情報に基づいて、記録パラメータの調整処理を実行するかどうかの可否を判断する（Ｓ９２）、ホストコンピュータに接続されている場合、ホストコンピュータからの記録パラメータの調整処理を実行するコマンドを受信しているかを判断し実行する（Ｓ９４）。その結果、記録パラメータの調整処理が必要な場合、例えば、光ディスク装置の設計段階で市場に出ていない光ディスクなど未対応のディスクの場合や予め保存された調整パラメータと市場に出ている光ディスクとの間に不整合が発生した場合に、記録パラメータ調整を実行する（Ｓ９３）。
【０１０９】
以上のように本実施の形態においては、ディスク情報をもとに記録パラメータの調整の実施の有無を判断するので、設計段階で市場にでていないディスクなど未対応のディスクや予め保存された調整パラメータと市場に出ている光ディスクとの間に不整合が発生した場合、通常の記録前のパラメータ調整とは別のデータ領域を使った記録パラメータの調整を実施することが可能となり未対応のディスクであっても記録データの記録失敗や再生エラーをなくすことができる。
【０１１０】
以上により、新しく市場に出た種類の光ディスク、または、予め保存された調整パラメータと市場に出ている光ディスクに対しても、それらの種類に関係なく確実に対応することができ、従来から存在する光ディスクと同様に、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態１０）
本発明の実施の形態１０の光ディスク装置およびその記録制御方法を説明する。
【０１１１】
この光ディスク装置の構成特徴は、図示しないが、例えばホストコンピュータを通じてネットワークや他の媒体から記録パラメータを取得する手段と、装置に装着されている光ディスクからその記録パラメータ識別情報を取得する手段と、他の媒体からの記録パラメータと装着光ディスクからの記録パラメータ識別情報とを比較し、記録パラメータの変更処理を実行するかどうかを判断する手段と、記録パラメータの変更処理が必要な場合に記録パラメータの変更処理を実行する手段とを設けた点である。
【０１１２】
以上のように構成された光ディスク装置について、その記録制御方法を以下に説明する。
図１０は本実施の形態１０の光ディスク装置の記録制御方法における記録パラメータ更新時の動作を示すフローチャートである。図１０に示すように、ホストコンピュータを通じてネットワークや他の媒体から記録パラメータを取得し（Ｓ１０１）、装置に装着されている光ディスクからその記録パラメータ識別情報を取得し（Ｓ１０２）、他の媒体からの記録パラメータと装着光ディスクからの記録パラメータ識別情報とを比較し、記録パラメータの変更処理を実行するかどうかを判断する（Ｓ１０３）。その結果、記録パラメータの変更処理が必要な場合、例えば、記録パラメータに関する日時情報が異なっている場合に、記録パラメータ変更を実行する（Ｓ１０４）。
【０１１３】
以上のように本実施の形態においては、光ディスク装置の記録パラメータ識別情報と他の媒体からの記録パラメータを比較し記録パラメータの変更実施を判断できる。記録パラメータの識別情報が調整日時であれば、他の媒体からの記録パラメータの作成日時と比較し、新しい日時記録パラメータを採用する。
【０１１４】
また、記録パラメータの識別情報が記録再生した時の訂正個数であれば、他の媒体からの記録パラメータの訂正個数情報と比較し、訂正個数の少ない記録パラメータを採用することで、より記録品位の良くなる記録パラメータに変更することが可能である。記録パラメータの識別情報が記録再生時のジッタや変調度であっても同様である。
【０１１５】
以上により、記録パラメータの値として、光ディスクの種類に関係なく常に最良の記録品質が得られる値を保持することができ、それらの種類に関係なく、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
（実施の形態１１）
本発明の実施の形態１１の光ディスク装置およびその記録制御方法を説明する。
【０１１６】
この光ディスク装置の構成特徴は、図示しないが、光ディスク装置が内部で記憶している記録パラメータの識別情報を取得する手段と、新たに光ディスクに対して記録パラメータの調整を実行する手段と、調整した記録パラメータの識別情報を取得し、光ディスク装置が内部で記憶している記録パラメータの識別情報と比較する手段と、記録パラメータの変更処理が必要な場合に記録パラメータの変更処理を実行する手段とを設けた点である。
【０１１７】
以上のように構成された光ディスク装置について、その記録制御方法を以下に説明する。
図１１は本実施の形態１１の光ディスク装置の記録制御方法における記録パラメータ更新時の動作を示すフローチャートである。図１１に示すように、光ディスク装置が内部で記憶している記録パラメータの識別情報を取得し（Ｓ１１１）、新たに光ディスクに対して記録パラメータの調整を実行し（Ｓ１１２）、調整した新たな記録パラメータの識別情報を取得し（Ｓ１１３）、新たに調整した記録パラメータの識別情報と光ディスク装置が内部で記憶している以前の記録パラメータの識別情報とを比較し、記録パラメータの変更処理を実行するかどうかを判断する（Ｓ１１４）。その結果、記録パラメータの変更処理が必要な場合、例えば、記録パラメータ識別情報が記録再生時の訂正個数であれば、新たな調整により得られた記録パラメータの方が、その記録パラメータ識別情報として訂正個数がより少ない場合に、新たな記録パラメータへの変更を実行する（Ｓ１１５）。
【０１１８】
以上のように本実施の形態においては、光ディスク装置内部の記録パラメータ識別情報と新たに調整した記録パラメータの識別情報で記録パラメータ変更実施を判断できる。記録パラメータ識別情報が記録再生時の訂正個数であれば、訂正個数の少ない記録パラメータを選択し、より訂正個数の少ない記録パラメータを得ることができる。識別情報がジッタや変調度の場合も同様である。
【０１１９】
以上により、記録パラメータの値として、光ディスクの種類に関係なく常に最良の記録品質が得られる値を保持することができ、それらの種類に関係なく、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができる。
【０１２０】
なお、上記の各実施の形態では、光ディスクとして基本的に１回のみの書き込みが可能なＣＤ−Ｒ、ＤＶＤ−Ｒ等を想定して説明したが、ＣＤ−ＲＷ、ＤＶＤ−ＲＷ、ＤＶＤ＋ＲＷ、ＤＶＤ−ＲＡＭ等の複数回の書き換えが可能な光ディスクまたＤＶＤ＋Ｒ光ディスクに対しても、光ディスクへのデータ記録用の記録パラメータに対する調整精度を向上し、その記録パラメータを用いることにより記録データの記録ミスをなくすことができ、従来に比べてさらに良好な記録品質を得ることができるとともに、常に再生エラーのない良好な再生品質を得ることができるという点では、同様に適用できる。
【０１２１】
しかし、ＣＤ−ＲＷ、ＤＶＤ−ＲＷ、ＤＶＤ＋ＲＷ、ＤＶＤ−ＲＡＭ等の複数回の書き換えが可能な光ディスクに対しては、そのＰＣＡ領域およびデータ領域が複数回の書き換えが可能であり、従来から、調整専用として用いる光ディスクと実際に記録用として用いる光ディスクとの区別無く、記録パラメータの調整位置および調整回数に制限が無いため、従来のＰＣＡを用いた場合に比べて遥かに多くの領域への試し記録ができるという点では、特に適用する必要はない。
【産業上の利用可能性】
【０１２２】
本発明の光ディスク装置およびその記録制御方法は、信号記録時の記録パワーおよび記録パルス幅である記録パラメータの調整精度を向上し、記録データの記録失敗や再生エラーをなくすことができるものであり、記録および再生が可能な光ディスクを駆動する光ディスク装置等に適用できる。
【図面の簡単な説明】
【０１２３】
【図１】本発明の実施の形態１の光ディスク装置の構成を示すブロック図
【図２】本発明の実施の形態２の光ディスク装置の構成を示すブロック図
【図３】本発明の実施の形態３の光ディスク装置の構成を示すブロック図
【図４】本発明の実施の形態４の光ディスク装置の構成を示すブロック図
【図５】本発明の実施の形態５の光ディスク装置の構成を示すブロック図
【図６】本発明の実施の形態６の光ディスク装置の構成を示すブロック図
【図７】本発明の実施の形態７の光ディスク装置の構成を示すブロック図
【図８】本発明の実施の形態８の光ディスク装置の構成を示すブロック図
【図９】本発明の実施の形態９の光ディスク装置の記録制御方法における記録パラメータ更新時の動作を示すフローチャート
【図１０】本発明の実施の形態１０の光ディスク装置の記録制御方法における記録パラメータ更新時の動作を示すフローチャート
【図１１】本発明の実施の形態１１の光ディスク装置の記録制御方法における記録パラメータ更新時の動作を示すフローチャート
【符号の説明】
【０１２４】
１    ピックアップ
２    パワー設定部
３    パルス幅設定部
４    訂正個数計測部
５    記録位置設定部
６    調整部
７    記録パラメータ記憶部
８    記録パラメータ変更手段
９    パラメータ識別情報記憶部
２４    ジッタ計測部
３４    変調度計測部
４５    自動記録位置設定部
８０    送信手段
【図１】
2005196902.tif 000003
【図２】
2005196902.tif 000004
【図３】
2005196902.tif 000005
【図４】
2005196902.tif 000006
【図５】
2005196902.tif 000007
【図６】
2005196902.tif 000008
【図７】
2005196902.tif 000009
【図８】
2005196902.tif 000010
【図９】
2005196902.tif 000011
【図１０】
2005196902.tif 000012
【図１１】
2005196902.tif 000013